(57)【要約】【課題】効率よくミストの回収を行うことができない。【解決手段】記録ヘッド２０２の媒体搬送方向上流側及び下流側に液滴吐出方向に向かってそれぞれ開口する上流側吸引口２０３及び下流側吸引口２０４が配置され、画質優先モードであるときには、上流側吸引ファン２０６を駆動して上流側吸引口２０３から吸引量Ｑ２で吸引を行い、下流側吸引ファン２０９を駆動して下流側吸引口２０４から吸引量Ｐ２で吸引を行い、速度優先モードであるときには、上流側吸引ファン２０６を駆動して上流側吸引口２０３から吸引量Ｑ１で吸引を行い、下流側吸引ファン２０９を駆動して下流側吸引口２０４から吸引量Ｐ１で吸引を行うことで、用紙１００の搬送速度の増加に応じて、下流側吸引口２０４からの吸引量を増加させ、上流側吸引口２０４からの吸引量を減少させる。【選択図】図８
2015051524.tif 000002
【特許請求の範囲】
【請求項１】
液滴を吐出する複数のノズルが配列されたノズル列を有する記録ヘッドと、
被記録媒体を搬送する搬送手段と、を備え、
前記記録ヘッドは前記ノズル列が媒体搬送方向と交差する方向に配置され、
前記記録ヘッドの前記媒体搬送方向上流側及び下流側に液滴吐出方向に向かってそれぞれ開口する上流側吸引口及び下流側吸引口が配置され、
前記上流側吸引口及び下流側吸引口からの吸引量を制御する制御手段を有し、
前記制御手段は、
前記被記録媒体の搬送速度の増加に応じて、
前記下流側吸引口からの吸引量を増加させ、
前記上流側吸引口からの吸引量を減少させる制御をする
ことを特徴とする画像形成装置。
【請求項２】
前記下流側吸引口の開口は、前記上流側吸引口の開口よりも、前記搬送手段側に位置することを特徴とする請求項１に記載の画像形成装置。
【請求項３】
前記上流側吸引口の媒体搬送方向上流側に、吸引で生じる気流を案内する案内部が配置されていることを特徴とする請求項１又は２に記載の画像形成装置。
【請求項４】
前記下流側吸引口の媒体搬送方向下流側に、吸引で生じる気流を案内する案内部が配置されていることを特徴とする請求項１ないし３のいずれかに記載の画像形成装置。
【請求項５】
前記案内部は、吸引方向下流側に広がる傾斜面を有していることを特徴とする請求項３又は４に記載の画像形成装置。
【請求項６】
前記記録ヘッドの媒体搬送方向と交差する方向の両側に、液滴吐出方向に向かって開口する側方吸引口が配置されていることを特徴とする請求項１ないし５のいずれかに記載の画像形成装置。
【請求項７】
前記側方吸引口よりも外側であって、前記被記録媒体の搬送面よりも前記記録ヘッドと反対側まで突出し、吸引で生じる気流を案内する前記側方吸引口に案内する側方案内部が設けられていることを特徴とする請求項６に記載の画像形成装置。
【請求項８】
前記記録ヘッドのノズル面と前記被記録媒体とのギャップに応じて吸引量を変化させることを特徴とする請求項１ないし７のいずれかに記載の画像形成装置。
【請求項９】
環境温度に応じて吸引量を変化させることを特徴とする請求項１ないし８のいずれかに記載の画像形成装置。
【発明の詳細な説明】
【技術分野】
【０００１】
本発明は画像形成装置に関し、特に液滴を吐出する記録ヘッドを備える画像形成装置に関する。
【背景技術】
【０００２】
プリンタ、ファクシミリ、複写装置、プロッタ、これらの複合機等の画像形成装置として、例えば液滴を吐出する液体吐出ヘッド（液滴吐出ヘッド）からなる記録ヘッドを用いた液体吐出記録方式の画像形成装置としてインクジェット記録装置などが知られている。
【０００３】
ところで、記録ヘッドから液滴を吐出したときに、画像を形成する主滴以外に、主滴より非常に小さいミストが発生する。発生したミストが、被記録媒体に付着した場合には画像品位を低下させてしまったり、ノズル周辺に付着した場合はノズルの不吐出を引き起こしてしまったり、装置内の部材に付着した場合は汚染だけでなく誤動作を引き起こしてしまうことになる。
【０００４】
そこで、ミストを吸引する吸引手段を備えるようにしている。ここで、例えば、各記録ヘッドの間に吸引口を設け、この吸引口に接続されたファンによって吸引を行うものがある（特許文献１）。
【０００５】
また、キャリッジの移動速度に応じて吸引手段の回転速度を変化させるもの（特許文献２）、用紙の搬送速度よりもミストを含む空気の移動速度が速くなるように吸引手段の回転数を制御するもの（特許文献３）などがある。
【先行技術文献】
【特許文献】
【０００６】
【特許文献１】特許第２８０１２３１号公報
【特許文献２】特開２００７−１３６８４７号公報
【特許文献３】特開２０１０−２０１８７３号公報
【発明の概要】
【発明が解決しようとする課題】
【０００７】
ところで、滴吐出に伴って発生するミストは媒体搬送方向下流側だけでなく上流側にも移動する。このとき、被記録媒体の搬送速度によってミストの移動方向や量が変化する。
【０００８】
そのため、特許文献１に開示されているようにすべての吸引口から共通の吸引手段で吸引を行う構成にあっては、効率よくミストの回収を行うことができないという課題がある。
【０００９】
本発明は上記の課題に鑑みてなされたものであり、効率よくミストの回収を行うことができるようにすることを目的とする。
【課題を解決するための手段】
【００１０】
上記の課題を解決するため、本発明に係る画像形成装置は、
液滴を吐出する複数のノズルが配列されたノズル列を有する記録ヘッドと、
被記録媒体を搬送する搬送手段と、を備え、
前記記録ヘッドは前記ノズル列が媒体搬送方向と交差する方向に配置され、
前記記録ヘッドの前記媒体搬送方向上流側及び下流側に液滴吐出方向に向かってそれぞれ開口する上流側吸引口及び下流側吸引口が配置され、
前記上流側吸引口及び下流側吸引口からの吸引量を制御する制御手段を有し、
前記制御手段は、
前記被記録媒体の搬送速度の増加に応じて、
前記下流側吸引口からの吸引量を増加させ、
前記上流側吸引口からの吸引量を減少させる制御をする
構成とした。
【発明の効果】
【００１１】
本発明によれば、効率よくミストの回収を行うことができる。
【図面の簡単な説明】
【００１２】
【図１】本発明に係る画像形成装置の一例の全体構成を説明する説明図である。
【図２】同装置の記録ヘッドユニットの一例を示す搬送ベルト側から見た説明図である。
【図３】図２のＡ−Ａ線に沿う断面説明図である。
【図４】図２のＢ−Ｂ線に沿う断面説明図である。
【図５】同装置の制御部の概要の説明に供するブロック説明図である。
【図６】本発明の第１実施形態における吸引制御の説明に供する画質優先モードのときの要部拡大説明図である。
【図７】同じく速度優先モードのときの要部拡大説明図である。
【図８】第１実施形態における制御部による吸引制御の説明に供するフロー図である。
【図９】本発明の第２実施形態の説明に供する１つの記録ヘッド周りの説明図である。
【図１０】本発明の第３実施形態の説明に供する１つの記録ヘッド周りの説明図である。
【図１１】本発明の第４実施形態の説明に供する記録ヘッドユニットを搬送ベルト側から見た説明図である。
【図１２】同じく側面説明図である。
【発明を実施するための形態】
【００１３】
以下、本発明の実施の形態について添付図面を参照して説明する。まず、本発明に係る画像形成装置の一例について図１を参照して説明する。図１は同画像形成装置の全体構成を説明する説明図である。
【００１４】
この画像形成装置は、ライン型画像形成装置である。給紙トレイ１０１に積載された被記録媒体である用紙１００は、給紙コロ１０２によって、破線で図示する搬送経路に沿って搬送される。搬送経路に搬送された用紙１００は、タイミング合わせ兼スキュー補正ローラ（所謂レジストローラ）対１０３を経由して、ベルト搬送ユニット１０４へ搬送される。
【００１５】
この用紙１００が搬送されるときに、給紙トレイ１０１に設けた紙厚センサ３００或いはユーザーの紙種選択によって紙厚が設定されて、記録ヘッドユニット２００が昇降されて、記録ヘッドユニット２００と用紙１００のギャップが設定される。
【００１６】
ベルト搬送ユニット１０４は、所定のタイミングにて駆動される搬送ローラ１０５と、テンションローラ１０６と、これらローラ１０５、１０６間に掛け回された無端状の搬送ベルト１０７を備えている。
【００１７】
なお、ベルト搬送ユニット１０４の搬送ベルト１０７で用紙１００を保持するには、静電吸着や空気吸引による吸着等による手段や、その他の公知の手段を用いることができる。
【００１８】
用紙１００は、ベルト搬送ユニット１０４で記録ヘッドユニット２００に対向して搬送され、記録ヘッドユニット２００が画像データに応じて駆動されて液滴が吐出されることで、画像が形成される。
【００１９】
なお、記録ヘッドユニット２００には温度センサ４００が備得られている。この温度センサ４００によって検出する環境温度に応じて記録ヘッドユニット２００のインク滴を吐出させるエネルギーを制御している。
【００２０】
記録ヘッドユニット２００で画像が形成された用紙１００上には、画像を構成する未乾燥インクが付着している。この未乾燥インクを乾燥するために、デカーラユニット１０９までの間に、図示しないが、ヒータや温風などの乾燥機構を設けることもできる。
【００２１】
記録ヘッドユニット２００にて画像が形成された用紙１００は、デカーラユニット１０９に搬送されて、デカール（カール矯正）される。
【００２２】
デカーラユニット１０９を通過した用紙１００は、そのまま排紙の場合、分離爪１１０によって、搬送経路１１１を経て、排紙ローラ１１２へ搬送されて排紙される。
【００２３】
また、反転排紙又は裏面印字（両面印刷）する場合は、分離爪１１０が図示の位置から反時計回りに切り替えられ、搬送経路１１３を通過し、ガイド部材１１４を経て、叩きコロ１１５に送られる。叩きコロ１１５に送られた用紙１００は、回転方向を切り替えた叩きコロ１１５によって、逆向きに搬送される。
【００２４】
そして、そのまま反転排紙の場合は、第２分離爪１１６を経て、搬送経路１１７を通過して、排紙ローラ１１２へ送られて排紙される。
【００２５】
また、裏面印字する場合は、叩きコロ１１５によって逆向き搬送された用紙１００は、図示の位置から反時計回りに切り替えられた第２分離爪１１６と両面反転ローラ１１８の間を経て、搬送経路１１９を通過して、レジストローラ対１０３へ送られる。
【００２６】
なお、被記録媒体（用紙１００）としては、カット紙だけでなく、フィルムやロール紙などでも良い。
【００２７】
また、記録ヘッドユニット２００の性能を維持回復するため、維持回復ユニット１０８が備えられている。維持回復ユニット１０８は、記録ヘッドユニット２００の各ヘッドのノズル面をキャッピングするキャップ１２０、キャップ１２０に接続された図示しない吸引ポンプ、キャップ１２０内にインクを吸引したときヘッドに残留するインクを払拭するワイパ１２１を備えている。
【００２８】
ここでは、維持回復動作を行うときには、記録ヘッドユニット２００が上昇し、維持回復ユニット１０８が記録ヘッドユニット２００の各記録ヘッドの下方まで移動して、維持回復動作が行われる。また、維持回復ユニット１０８のキャップ１２０は、待機時には、記録ヘッドユニット２００の各記録ヘッドの湿度を保つ保湿キャップも担っており、非印刷時には、記録ヘッドユニット２００が上昇して、維持回復ユニット１０８は記録ヘッドユニット２００の下方まで移動して、保湿キャッピングを行う。
【００２９】
次に、記録ヘッドユニット２００の一例について図２を参照して説明する。図２は同記録ヘッドユニットを搬送ベルト側から見た説明図である。
【００３０】
記録ヘッドユニット２００は、ベース部材２１０に、イエロー（Ｙ）、マゼンタ（Ｍ）、シアン（Ｃ）、ブラック（Ｋ）のインク滴を吐出するヘッドユニット２１１Ｙ、２１１Ｍ、２１１Ｃ、２１１Ｋ（区別しないときは「ヘッドユニット２１１」という。）を備えている。
【００３１】
ヘッドユニット２１１は、液滴を吐出する複数のノズル２１２を有する複数個の液体吐出ヘッド（記録ヘッド）２０２を用紙幅相当分の長さに配列したライン型液体吐出ヘッドユニットである。
【００３２】
ここで、複数個の記録ヘッド２０２は、奇数列と偶数列に千鳥配列されて用紙幅相当分の長さのヘッドを構成している。また、複数のノズル２１２を配列した奇数ノズル列２０１Ｏと偶数ノズル列２０１Ｅ（区別しないときは「ノズル列２０１」という。）も千鳥配列されている。記録ヘッド２０２は、ノズル列２０１が媒体搬送方向と交差（直交だけでなく斜めでもよい。）する方向にベース部材２１０に配置されている。
【００３３】
次に、記録ヘッドユニット２００におけるミスト吸引手段の構成について図３及び図４を参照して説明する。図３は図２のＡ−Ａ線に沿う断面説明図、図４は図２のＢ−Ｂ線に沿う断面説明図である。
【００３４】
ベース部材２１０には、各記録ヘッド２０２媒体搬送方向上流側及び下流側に液滴吐出方向に向かってそれぞれ開口する上流側吸引口２０３及び下流側吸引口２０４が設けられている。
【００３５】
上流側吸引口２０３は、経路２０３ａを介して、ベース部材２１０内に形成された上流側ミスト捕集共通空間２０５に通じている。上流側ミスト捕集共通空間２０５にはフィルタ２０７を介して吸引手段である上流側吸引ファン２０６が設けられている。
【００３６】
上流側吸引ファン２０６を回転駆動することによって、上流側吸引口２０３に吸い込まれる気流が発生して、記録ヘッド２０２からの滴吐出に伴って生じるミストが上流側吸引口２０３から上流側ミスト捕集共通空間２０５に取り込まれてフィルタ２０７で捕集される。
【００３７】
同様に、下流側吸引口２０４は、経路２０４ａを介して、ベース部材２１０内に形成された下流側ミスト捕集共通空間２０８に通じている。下流側ミスト捕集共通空間２０８にはフィルタ２０７を介して吸引手段である下流側吸引ファン２０９が設けられている。
【００３８】
下流側吸引ファン２０９を回転駆動することによって、下流側吸引口２０４に吸い込まれる気流が発生して、記録ヘッド２０２からの滴吐出に伴って生じるミストが下流側吸引口２０４から下流側ミスト捕集共通空間２０８に取り込まれてフィルタ２０７で捕集される。
【００３９】
なお、上流側吸引ファン２０６と下流側吸引ファン２０９で上流と下流の吸引を切り分けているが、一つのファンと弁で切り替えることも可能である。このようにファンを共通にしつつ、吸引量を異ならせるには、経路２０３ａ、２０４ｂの途中に流路抵抗を可変する手段を配置すればよい。
【００４０】
次に、この画像形成装置の制御部の概要について図５を参照して説明する。図５は同制御部のブロック説明図である。
【００４１】
この制御部５００は、この装置全体の制御を司る本発明に係る制御手段を兼ねたＣＰＵ５０１と、ＣＰＵ５０１が実行するプログラムなどの固定データを格納するＲＯＭ５０２と、画像データ等を一時格納するＲＡＭ５０３を備えている。また、制御部５００は、装置の電源が遮断されている間もデータを保持するための書き換え可能な不揮発性メモリ５０４と、画像データに対する各種信号処理、並び替え等を行う画像処理やその他装置全体を制御するための入出力信号を処理するＡＳＩＣ５０５とを備えている。
【００４２】
また、制御部５００は、記録ヘッドユニット２００の各記録ヘッド２０２を駆動制御するためのデータ転送手段、駆動信号発生手段を含む印刷制御部５０８と、各記録ヘッド２０２を駆動するためのヘッドドライバ（ドライバＩＣ）５０９と、搬送ベルト１０７を周回移動させる用紙送りモータ５３０などを駆動するためのモータ駆動部５１０などを備えている。
【００４３】
また、この制御部５００には、この装置に必要な情報の入力及び表示を行うための操作パネル５１４が接続されている。
【００４４】
この制御部５００は、ホスト側とのデータ、信号の送受を行うためのＩ／Ｆ５０６を持っていて、パーソナルコンピュータ等の情報処理装置などのホスト６００側から、ケーブル或いはネットワークを介してＩ／Ｆ５０６で受信する。
【００４５】
そして、制御部５００のＣＰＵ５０１は、Ｉ／Ｆ５０６に含まれる受信バッファ内の印刷データを読み出して解析し、ＡＳＩＣ５０５にて必要な画像処理、データの並び替え処理等を行う。この画像データは印刷制御部５０８からヘッドドライバ５０９に転送される。
【００４６】
印刷制御部５０８は、上述した画像データを転送するとともに、ＲＯＭに格納されている駆動パルスのパターンデータをＤ／Ａ変換、電圧増幅、電流増幅して１の駆動パルス或いは複数の駆動パルスで構成される駆動信号をヘッドドライバ５０９に対して出力する。
【００４７】
Ｉ／Ｏ部５１３は、装置に装着されている各種のセンサ群５１５からの情報を取得し、装置の制御に必要な情報を抽出し、印刷制御部５０８やモータ駆動部５１０などの制御に使用する。センサ群５１５は、前述した温度センサ４００の他、用紙の位置を検出するための光学センサ等を含み、Ｉ／Ｏ部５１３は様々のセンサ情報を処理することができる。
【００４８】
次に、本発明の第１実施形態における吸引制御について図６及び図７を参照して説明する。図６は画質優先モードのときの説明に供する要部拡大説明図、図７は速度優先モードのときの説明に供する要部拡大説明図である。
【００４９】
本実施形態に係る画像形成装置では、印刷モードとして、画質よりも生産性を優先する速度優先モードと、生産性よりも画質を優先する画質優先モードとを有している。速度優先モードにおける用紙１００の搬送速度Ｖ１は、画質優先モードにおける用紙１００の搬送速度Ｖ２よりも速く（Ｖ１＞Ｖ２）設定している。
【００５０】
ここで、通常、搬送ベルト１０７を停止した状態で滴吐出を行った場合、主滴７００によって下降気流が発生して、その下降気流が用紙１００に衝突して上昇気流を起こし、ミスト７０１はその気流に乗って飛散する。これに対し、搬送ベルト１０７を移動させて用紙１００を搬送している場合、搬送によって発生する気流が加わり、ミスト７０１の飛散の仕方が変化することになる。
【００５１】
まず、印刷モードが画質優先モードであるとき、つまり、用紙の搬送速度が相対的に遅い搬送速度Ｖ２であるときには、図６に示すように、上流側吸引ファン２０６を駆動して上流側吸引口２０３から吸引量Ｑ２で吸引を行い、下流側吸引ファン２０９を駆動して下流側吸引口２０４から吸引量Ｐ２で吸引を行う。
【００５２】
つまり、用紙の搬送速度が遅い場合、搬送によって発生する気流が弱いため、主滴７００によって発生する上昇気流の影響が強くなる。そのため、ミスト７０１は搬送によって発生する気流に乗る分が少なくなり、その分、主滴７００によって発生した上昇気流に乗って飛散する。
【００５３】
特に、上流側のノズル列２０１Ｏからの主滴７００を吐出したときに発生したミストは７０１は上昇気流に乗りやすくなり、ノズル面を汚して吐出不良を引き起こしてしまうことになる。
【００５４】
ここで、下流側吸引口２０４のみで吸引していても、上流側で発生したミスト７０１をほとんど回収することができない。そこで、上流側吸引口２０３からも吸引をすることによって、上昇気流に乗ったミスト７０１を回収することができる。
【００５５】
このとき、上流側で発生したミスト７０１は上昇するため、上流側吸引口２０３に向かいやすく、下流側で発生したミスト７０１は用紙１００によって発生した気流に乗りやすく、下流側吸引口２０４から遠ざかりやすい。
【００５６】
したがって、上流側吸引口２０３の吸引量Ｑ２よりも下流側吸引口２０４の吸引量Ｐ２を大きくした方が、より多くのミストを回収することができる。
【００５７】
次に、印刷モードが速度優先モードであるとき、つまり、用紙の搬送速度が相対的に速い搬送速度Ｖ１であるときには、図７に示すように、上流側吸引ファン２０６を駆動して上流側吸引口２０３から吸引量Ｑ１（Ｑ１＜Ｑ２）で吸引を行い、下流側吸引ファン２０９を駆動して下流側吸引口２０４から吸引量Ｐ１（Ｐ１＞Ｐ２）で吸引を行う。なお、Ｐ１＞Ｑ１、の関係でもある。
【００５８】
つまり、用紙の搬送速度が速い場合、主滴７００によって発生する気流より、搬送によって発生する気流が強く支配的である。そのため、上流側のノズル列２０１Ｏと下流側のノズル列２０１Ｅからの滴吐出で発生するミスト７０１は、いずれも下流側に向かう量が大半となる。
【００５９】
そこで、用紙の搬送速度が遅い場合よりも下流側吸引口２０４からの吸引量を吸引量Ｐ２から吸引量Ｐ１を増加して吸引を行う。
【００６０】
一方、上流側のノズル列２０１Ｏから滴吐出によってノズル面に付着する方向に浮遊するミスト７０１も発生しているので、上流側吸引口２０３からも吸引を行う。このとき、用紙の搬送速度が遅い場合よりも上流側吸引口２０３からの吸引量は減少させることができる。
【００６１】
この第１実施形態における制御部５００による吸引制御について図８のフロー図を参照して説明する。
【００６２】
印刷を開始するとき、印刷モードを判別して、速度優先モードか画質優先モードかを判別する。
【００６３】
そして、画質優先モードであるときには、上述したように上流側吸引ファン２０６を駆動して上流側吸引口２０３から吸引量Ｑ２で吸引を行い、下流側吸引ファン２０９を駆動して下流側吸引口２０４から吸引量Ｐ２で吸引を行う。
【００６４】
これに対し、速度優先モードであるときには、上述したように上流側吸引ファン２０６を駆動して上流側吸引口２０３から吸引量Ｑ１で吸引を行い、下流側吸引ファン２０９を駆動して下流側吸引口２０４から吸引量Ｐ１で吸引を行う。
【００６５】
そして、印刷終了によって吸引を停止する。
【００６６】
このように、被記録媒体の搬送速度の増加に応じて、下流側吸引口からの吸引量を増加させ、下流側吸引口からの吸引量を減少させる制御をすることで、効率よくミストの回収を行うことができる。
【００６７】
また、共通の吸引手段と、吸引手段による吸引力を上流側吸引口と下流側吸引口に分配する手段とを備えるような場合、ミストの多い方向に吸引力を分配することによって、限定された吸引力で効率良くミストを回収することができる。
【００６８】
次に、本発明の第２実施形態について図９を参照して説明する。図９は同実施形態の説明に供する１つの記録ヘッド周りの説明図である。
【００６９】
本実施形態では、下流側吸引口２０４の開口位置を記録ヘッド２０２のノズル面位置まで突出させている。つまり、下流側吸引口２０４を形成している吸引口部２４１をノズル面位置（又はその近傍）まで延ばしている。
【００７０】
記録ヘッド２０２より媒体搬送方向下流側に流れるミスト７０１は、記録ヘッド２０２側より用紙１００側に多く飛散している。そこで、下流側吸引口２０４の開口位置を用紙１００側に突出させることにより、下流側吸引口２０４による用紙１００側付近での吸引流速が高くなり、ミストを多く吸引することができる。
【００７１】
一方、上流側はミスト７０１が上流側吸引口２０３に流れやすいため、上流側吸引口２０３の開口位置を用紙１００側に突出させる必要はなく、用紙１００の浮きによる用紙１００と吸引口２０３の形成部位との接触を少なくすることができる。
【００７２】
次に、本発明の第３実施形態について図１０を参照して説明する。図１０は同実施形態の説明に供する１つの記録ヘッド周りの説明図である。
【００７３】
本実施形態では、上流側吸引口２０３の媒体搬送方向上流側に、吸引で生じる気流を案内する、滴吐出方向に向かって突出する上流側案内部２３０が形成されている。上流側案内部２３０の少なくとも記録ヘッド２０２側の面は、吸引方向下流側に広がる傾斜面２３０ａに形成されている。つまり、上流側案内部２３０の傾斜面２３０ａは、媒体搬送方向で、用紙１００側に近づくに従って記録ヘッド２０２側に近づく形状となる。
【００７４】
これにより、上流側で発生して舞い上がったミストが上流側吸引口２０３に流れやすくなり、上流側で発生するミストを効率的に吸引回収することができる。
【００７５】
また、下流側吸引口２０４の媒体搬送方向下流側に、吸引で生じる気流を案内する、滴吐出方向に向かって突出する下流側案内部２４０が形成されている。下流側案内部２４０の少なくとも記録ヘッド２０２側の面は、吸引方向下流側に広がる傾斜面２４０ａに形成されている。つまり、下流側案内部２４０の傾斜面２４０ａは、媒体搬送方向で、用紙１００側に近づくに従って記録ヘッド２０２側に近づく形状となる。
【００７６】
これにより、下流側で発生して舞い上がったミストが下流側吸引口２０４に流れやすくなり、下流側で発生するミストを効率的に吸引回収することができる。
【００７７】
次に、本発明の第４実施形態について図１１及び図１２を参照して説明する。図１１は同実施形態の説明に供する記録ヘッドユニットを搬送ベルト側から見た図、図１２は同じく側面説明図である。
【００７８】
本実施形態では、記録ヘッドユニット２００の媒体搬送方向と交差する方向の両側に、側方吸引口２５１、２５１を設けている。側方吸引口２５１の一部２５１ａは媒体搬送方向と交差する方向に延ばして形成されている。
【００７９】
これにより、上流側吸引口２０３と下流側吸引口２０４で吸引しきれずに、媒体搬送方向と交差する方向に飛散してしまったミストを側方吸引口２５１、２５１で回収して、ミストの飛散をより防止することができる。
【００８０】
ここで、側方吸引口２５１は、図示しない経路を通じて、上流側ミスト捕集共通空間２０５に繋がっていて、上流側吸引ファン２０６で吸引されるようにしている。この場合、側方吸引口２５１によって上流側吸引口２０３の吸引量は低くなってしまうが、上流側吸引口２０３の吸引量は下流側吸引口２０４の吸引量に比べて低くてよく、不都合は生じない。
【００８１】
この場合、ミストが発生しやすい条件に応じて、側方吸引口２５１に弁を取り付けて、弁で吸引の切り替えを行うようにしてもよい。
【００８２】
また、本実施形態では、媒体搬送方向で側方吸引口２５１に沿って記録ヘッド２０２側と反対側に側方案内部２５２を設けている。これにより、ミストが側方吸引口２５１に案内されて効率的な吸引を行うことができる。
【００８３】
ここでも、側方案内部２５２は、搬送ベルト１０７側に向かうに従って、記録ヘッド２０２側に向かう傾斜を形成しており、ミストがより側方吸引口２５１に入りやすい構成としている。
【００８４】
また、側方案内部２５２は、搬送ベルト１０７の幅より搬送方向と交差する方向に外側に配置され、搬送ベルト１０７の搬送面よりも下側（滴吐出方向下流側）に突出されて形成されている。
【００８５】
これにより、搬送ベルト１０７の面と側方案内部２５２のギャップがなくなり、ミストが側方吸引口２５１により流れやすくなる。
【００８６】
上記各実施形態において、記録ヘッドと用紙とのギャップ長に応じて吸引量を調整することが好ましい。
【００８７】
つまり、記録ヘッドと用紙のギャップ長を調整できるようにした場合、相対的に、ギャップが狭い場合はミストが用紙に付着しやすくなり、ミスト量が少なくなる。そこで、記録ヘッドと用紙のギャップ長に応じて吸引量を調整する、例えば、ギャップが狭いときには吸引量を少なくする。これにより、吸引による用紙の浮きや吸引装置の電力の消費や騒音や主滴の着弾への影響を小さくすることができる。
【００８８】
また、環境温湿度によってミストの量が変化する。例えば高温より低温の方が、ミストが発生しやすくなる。そこで、環境温湿度に応じて吸引量を調整することによって、吸引による用紙の浮きや吸引装置の電力の消費や騒音や主滴の着弾への影響を小さくすることができる。
【００８９】
なお、本願において、「用紙」とは材質を紙に限定するものではなく、ＯＨＰ、布、ガラス、基板などを含み、インク滴、その他の液体などが付着可能なものの意味であり、被記録媒体、記録媒体、記録紙、記録用紙などと称されるものを含む。また、画像形成、記録、印字、印写、印刷はいずれも同義語とする。
【００９０】
また、「画像形成装置」は、紙、糸、繊維、布帛、皮革、金属、プラスチック、ガラス、木材、セラミックス等の媒体に液体を吐出して画像形成を行う装置を意味する。また、「画像形成」とは、文字や図形等の意味を持つ画像を媒体に対して付与することだけでなく、パターン等の意味を持たない画像を媒体に付与すること（単に液滴を媒体に着弾させること）をも意味する。
【００９１】
また、「インク」とは、特に限定しない限り、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。
【００９２】
また、「画像」とは平面的なものに限らず、立体的に形成されたものに付与された画像、また立体自体を三次元的に造形して形成された像も含まれる。
【符号の説明】
【００９３】
１００  用紙（被記録媒体）
２００  記録ヘッドユニット
２０２  記録ヘッド
２０３  上流側吸引口
２０４  下流側吸引口
２０６  上流側吸引ファン
２０７  下流側吸引ファン
２１０  ベース部材
【図１】
2015051524.tif 000003
【図２】
2015051524.tif 000004
【図３】
2015051524.tif 000005
【図４】
2015051524.tif 000006
【図５】
2015051524.tif 000007
【図６】
2015051524.tif 000008
【図７】
2015051524.tif 000009
【図８】
2015051524.tif 000010
【図９】
2015051524.tif 000011
【図１０】
2015051524.tif 000012
【図１１】
2015051524.tif 000013
【図１２】
2015051524.tif 000014